(57)【要約】【課題】スクリーンのパターンによって、パッチ数、濃度、又はパッチのサイズを変更したカラーチャートを使用して補正を行なう画像処理装置を提供する。【解決手段】複数のパッチを配列した表であるカラーチャートを出力する出力手段５と、該カラーチャートから各パッチの濃度を読み取る読取手段６と、濃度から調整値を算出する算出手段７と、算出した調整値に基づいて出力手段５の階調を補正する補正手段８とを備えることを特徴とする画像処理装置であって、標準のカラーチャートの色、各色に対応するパッチの数、濃度、及びパッチのサイズを記憶する記憶手段３と、記憶されたパッチの数、濃度、又はパッチのサイズの変更を入力するための操作手段２とを備え、出力手段５は、入力された情報を受けて、記憶されている標準のパッチの数、濃度、又はパッチのサイズの少なくとも１つを変更し、カラーチャートを生成する。【選択図】図２
2008066813.tif 000002
【特許請求の範囲】
【請求項１】
複数のパッチを配列した表を有するカラーチャートを出力する出力手段と、前記カラーチャートから各パッチの濃度を読み取る読取手段と、前記濃度から調整値を算出する算出手段と、前記算出した調整値に基づいて前記出力手段の階調を補正する補正手段とを備える画像処理装置であって、
標準の前記カラーチャートの色、各色に対応するパッチの数、濃度、及びパッチのサイズを記憶する記憶手段と、
前記記憶されたパッチの数、濃度、又はパッチのサイズの変更を入力するための操作手段と
を備え、
前記出力手段は、前記入力された情報を受けて、記憶されているパッチの数、濃度、又はパッチのサイズの少なくとも１つを変更した前記カラーチャートを生成する
ことを特徴とする画像処理装置。
【請求項２】
複数のパッチを配列した表を有するカラーチャートを出力する出力手段と、前記カラーチャートから各パッチの濃度を読み取る読取手段と、前記濃度から調整値を算出する算出手段と、前記算出した調整値に基づいて前記出力手段の階調を補正する補正手段とを備える画像形成装置であって、
標準の前記カラーチャートの色、各色に対応するパッチの数、濃度、及びパッチのサイズと、スクリーンのパターンに対応するパッチの数、濃度、又はパッチのサイズを記憶する記憶手段と、
前記スクリーンのパターンを入力する操作手段と
を備え、
前記出力手段は、
前記入力された前記スクリーンのパターンに対応したパッチの数、濃度、及びパッチのサイズを前記記憶手段から取得し、
前記取得した前記スクリーンのパターンに対応したパッチの数、濃度、及びパッチのサイズに基づいて、記憶されているパッチの数、濃度、又はパッチのサイズの少なくとも１つを変更し、前記カラーチャートを生成する
ことを特徴とする画像処理装置。
【請求項３】
前記少なくともスクリーンのパターンに対応したパッチの数、濃度、又はパッチのサイズとは、
高線数となっている色のパッチの数、濃度、又はパッチのサイズである
ことを特徴とする請求項２に記載の画像処理装置。
【請求項４】
前記記憶手段は、予め所定のパッチの数、濃度、又はパッチのサイズの少なくとも１つをさらに記憶し、
前記出力手段は、
前記操作手段により指定された色を受け、該色のパッチの数、濃度、又はパッチのサイズを、前記所定のパッチの数、濃度、又はパッチのサイズに変更して前記カラーチャートを生成する
ことを特徴とする請求項１乃至３のいずれか一つに記載の画像処理装置。
【請求項５】
前記出力手段は、
前記標準のカラーチャートのパッチの総数及び並びは変えず、各色のパッチの数に比例して、各色のパッチの数を変更する
ことを特徴とする請求項１乃至４のいずれか一つに記載の画像処理装置。
【請求項６】
複数のパッチを配列した表を有するカラーチャートを出力する出力段階と、前記カラーチャートから各パッチの濃度を読み取る読取段階と、前記濃度から調整値を算出する算出段階と、前記算出した調整値に基づいて前記出力手段の階調を補正する補正段階とを備えることを特徴とする画像処理装置における画像処理方法であって、
標準の前記カラーチャートの色、各色に対応するパッチの数、濃度、及びパッチのサイズを記憶する記憶段階と、
前記記憶されたパッチの数、濃度、又はパッチのサイズの変更を入力される操作段階と
を備え、
前記出力段階は、
前記入力された情報を受けて、記憶されているパッチの数、濃度、又はパッチのサイズの少なくとも１つを変更し、前記カラーチャートを生成する
ことを特徴とする画像処理方法。
【請求項７】
複数のパッチを配列した表を有するカラーチャートを出力する出力段階と、前記カラーチャートから各パッチの濃度を読み取る読取段階と、前記濃度から調整値を算出する算出段階と、前記算出した調整値に基づいて前記出力手段の階調を補正する補正段階とを備える画像処理方法であって、
標準の前記カラーチャートの色、各色に対応するパッチの数、濃度、及びパッチのサイズと、スクリーンのパターンに対応するパッチの数、濃度、又はパッチのサイズを記憶する記憶段階と、
前記スクリーンのパターンを入力される操作段階と
を備え、
前記出力段階は、
前記入力された前記スクリーンのパターンに対応したパッチの数、濃度、及びパッチのサイズを前記記憶手段から取得し、
前記取得した前記スクリーンのパターンに対応したパッチの数、濃度、及びパッチのサイズに基づいて、記憶されているパッチの数、濃度、又はパッチのサイズの少なくとも１つを変更し、前記カラーチャートを生成する
ことを特徴とする画像処理方法。
【請求項８】
コンピュータを含む画像処理装置において、前記コンピュータに対して、複数のパッチを配列した表を有するカラーチャートの出力を実行させ、前記カラーチャートから各パッチの濃度の読み取りを実行させ、前記濃度から調整値の算出を実行させ、前記算出した調整値に基づいて階調の補正を実行させる画像処理プログラムであって、
前記コンピュータに対して、
標準の前記カラーチャートの色、各色に対応するパッチの数、濃度、及びパッチのサイズの記憶手段への記憶を実行させ、
前記記憶されたパッチの数、濃度、又はパッチのサイズの変更の情報に基づき、記憶されているパッチの数、濃度、又はパッチのサイズの少なくとも１つの変更を実行させ、前記カラーチャートの生成を実行させる
ことを特徴とする画像処理プログラム。
【請求項９】
コンピュータを含む画像処理装置において、前記コンピュータに対して、複数のパッチを配列した表を有するカラーチャートの出力を実行させ、前記カラーチャートから各パッチの濃度の読み取りを実行させ、前記濃度から調整値の算出を実行させ、前記算出した調整値に基づいて階調の補正を実行させる画像処理プログラムであって、
前記コンピュータに対して、
標準の前記カラーチャートの色、各色に対応するパッチの数、濃度、及びパッチのサイズと、スクリーンのパターンに対応するパッチの数、濃度、又はパッチのサイズの記憶手段への記憶を実行させ、
入力された前記スクリーンのパターンに対応したパッチの数、濃度、及びパッチのサイズの取得を実行させ、
前記取得した前記スクリーンのパターンに対応したパッチの数、濃度、及びパッチのサイズに基づいて、記憶されているパッチの数、濃度、又はパッチのサイズの少なくとも１つの変更を実行させ、前記カラーチャートの生成を実行させる
ことを特徴とする画像処理プログラム。
【発明の詳細な説明】
【技術分野】
【０００１】
本発明は、階調の補正を行なえる画像処理装置、その画像処理装置の階調を補正する画像処理方法、及び階調の補正を実行させるための画像処理プログラムに関する。
【背景技術】
【０００２】
従来、画像処理装置において階調の補正を行なう場合、スクリーンのパターンに係わりなく、決まった色、パッチの数、濃度、及びパッチのサイズのカラーチャートを使用して、階調補正の調整値を算出している。ここで、スクリーンのパターンとは階調の表現が異なるスクリーンの種類を意味し、各色の線数や、その線の角度などを含み、少なくともそのスクリーンの線数の違いによって、階調の表現が異なるものを言う。
【０００３】
画像を出力する場合、スクリーンの線数が高い色は階調が不安定になりやすく、スクリーンの線数が低い色は安定しやすい傾向にある。ここで、スクリーンの線数とは１インチの中にどの程度色が分散されているかという色の密度を表す基準であり、Ｌｉｎｅ  Ｐｅｒ  Ｉｎｃｈ（ｌｐｉ）という単位で表される。また、階調が安定するとは、ある入力値に対する出力が精度良く決まることを意味し、階調が不安定になると高精彩のものが表現しにくくなる。逆に、スクリーンの線数が低いと、中間調の文字部のボケが発生する。例えば、図１はスクリーンの線数による画像処理への影響を説明するための図であり、上下ともに同じＭＡＧＥＮＴＡという画像を出力したものであるが、上側が低線数のスクリーンで、下側が高線数のスクリーンで処理したものである。図１で示されるとおり、上側の低線数の画像の方が、隙間が多くボケ気味なことが分かる。このように、表現に応じてスクリーンの線数を変更する必要がある。さらに、１つのスクリーンのパターンにおいて、全ての色で同じ線数を使用すると、モアレが発生しやすくなる。そこで、見た目に目立ち難いＹｅｌｌｏｗの線数を高めに設定することで、モアレを回避したりする。これは、Ｙｅｌｌｏｗの線数を高めに設定しても、Ｙｅｌｌｏｗは目立ち難いため高精彩の表現を行なうときの影響が少ないからである。このように、スクリーンの設計上は、階調性を犠牲にしても高線数にする必要がある場合がある。
【０００４】
以上のように、表現する画像の特性や、モアレの発生などを抑えるといった理由から、１つのスクリーンのパターンにおいても、各色によって線数を異ならせる必要がある場合がある。すなわち、１つのスクリーンのパターンにおいて、各色の階調の安定性が異なってくる場合があるということになる。
【０００５】
このように、スクリーンのパターンによって各色の階調の安定性が異なっているにもかかわらず、従来のように標準のカラーチャートだけを使用して階調補正を行なった場合、他の色よりも高線数の色の階調を正確に補正することは困難であった。
【０００６】
そこで、階調の補正の精度の違いを調整するため、過去のカラーチャートの測定の情報を記憶しておき、その履歴と新しく入力されたカラーチャートの測定情報を比較して、その調整結果の誤差が多い色のパッチの数や階調数を増やしたカラーチャートを作成して、補正を行なう技術（例えば、特許文献１、特許文献２、及び特許文献３参照。）がある。
【０００７】
【特許文献１】特開２００４−１５６４３号公報
【特許文献２】特開２００４−１４７１７１号公報
【特許文献３】特開２００４−１３５３１２号公報
【発明の開示】
【発明が解決しようとする課題】
【０００８】
しかし、上記先行技術では、現状を把握してからの対処になるため、２度手間となり、システムの肥大化に繋がる。また、スクリーンのパターン、特にスクリーンの線数に対応する適切なカラーチャートを選択することも困難である。
【０００９】
本発明は、このような事情に鑑みてなされたもので、少なくともスクリーンの線数を含むスクリーンのパターンに対応して、パッチの数、濃度、又はパッチのサイズを変更したカラーチャートを作成し、そのカラーチャートを使用して階調の補正を行なう画像処理装置を提供することを目的としている。
【課題を解決するための手段】
【００１０】
上記目的を達成するために、本発明の第１の形態の画像処理装置は、複数のパッチを配列した表を有するカラーチャートを出力する出力手段と、前記カラーチャートから各パッチの濃度を読み取る読取手段と、前記濃度から調整値を算出する算出手段と、前記算出した調整値に基づいて前記出力手段の階調を補正する補正手段とを備える画像処理装置であって、標準の前記カラーチャートの色、各色に対応するパッチの数、濃度、及びパッチのサイズを記憶する記憶手段と、前記記憶されたパッチの数、濃度、又はパッチのサイズの変更を入力するための操作手段とを備え、前記出力手段は、前記入力された情報を受けて、記憶されているパッチの数、濃度、又はパッチのサイズの少なくとも１つを変更した前記カラーチャートを生成することを特徴とするものである。
【００１１】
本発明の第２の形態の画像処理装置は、複数のパッチを配列した表を有するカラーチャートを出力する出力手段と、前記カラーチャートから各パッチの濃度を読み取る読取手段と、前記濃度から調整値を算出する算出手段と、前記算出した調整値に基づいて前記出力手段の階調を補正する補正手段とを備える画像形成装置であって、標準の前記カラーチャートの色、各色に対応するパッチの数、濃度、及びパッチのサイズと、スクリーンのパターンに対応するパッチの数、濃度、又はパッチのサイズを記憶する記憶手段と、前記スクリーンのパターンを入力する操作手段とを備え、前記出力手段は、前記入力された前記スクリーンのパターンに対応したパッチの数、濃度、及びパッチのサイズを前記記憶手段から取得し、前記取得した前記スクリーンのパターンに対応したパッチの数、濃度、及びパッチのサイズに基づいて、記憶されているパッチの数、濃度、又はパッチのサイズの少なくとも１つを変更し、前記カラーチャートを生成することを特徴とするものである。
【００１２】
本発明の第３の形態の画像処理装置は、第２の形態の画像処理装置であって、前記少なくともスクリーンのパターンに対応したパッチの数、濃度、又はパッチのサイズとは、高線数となっている色のパッチの数、濃度、又はパッチのサイズであることを特徴とするものである。
【００１３】
本発明の第４の形態の画像処理装置は、第１乃至第３のいずれか一つの画像処理装置であって、前記記憶手段は、予め所定のパッチの数、濃度、又はパッチのサイズの少なくとも１つをさらに記憶し、前記出力手段は、前記操作手段により指定された色を受け、該色のパッチの数、濃度、又はパッチのサイズを、前記所定のパッチの数、濃度、又はパッチのサイズに変更して前記カラーチャートを生成することを特徴とするものである。
【００１４】
本発明の第５の形態の画像処理装置は、第１乃至第４のいずれか一つの画像処理装置であって、前記出力手段は、前記標準のカラーチャートのパッチの総数及び並びは変えず、各色のパッチの数に比例して、各色のパッチの数を変更することを特徴とするものである。
【００１５】
本発明の第１の形態の画像処理方法は、複数のパッチを配列した表を有するカラーチャートを出力する出力段階と、前記カラーチャートから各パッチの濃度を読み取る読取段階と、前記濃度から調整値を算出する算出段階と、前記算出した調整値に基づいて前記出力手段の階調を補正する補正段階とを備えることを特徴とする画像処理装置における画像処理方法であって、標準の前記カラーチャートの色、各色に対応するパッチの数、濃度、及びパッチのサイズを記憶する記憶段階と、前記記憶されたパッチの数、濃度、又はパッチのサイズの変更を入力される操作段階とを備え、前記出力段階は、前記入力された情報を受けて、記憶されているパッチの数、濃度、又はパッチのサイズの少なくとも１つを変更し、前記カラーチャートを生成することを特徴とするものである。
【００１６】
本発明の第２の形態の画像処理方法は、複数のパッチを配列した表を有するカラーチャートを出力する出力段階と、前記カラーチャートから各パッチの濃度を読み取る読取段階と、前記濃度から調整値を算出する算出段階と、前記算出した調整値に基づいて前記出力手段の階調を補正する補正段階とを備える画像処理方法であって、標準の前記カラーチャートの色、各色に対応するパッチの数、濃度、及びパッチのサイズと、スクリーンのパターンに対応するパッチの数、濃度、又はパッチのサイズを記憶する記憶段階と、前記スクリーンのパターンを入力される操作段階とを備え、前記出力段階は、前記入力された前記スクリーンのパターンに対応したパッチの数、濃度、及びパッチのサイズを前記記憶手段から取得し、前記取得した前記スクリーンのパターンに対応したパッチの数、濃度、及びパッチのサイズに基づいて、記憶されているパッチの数、濃度、又はパッチのサイズの少なくとも１つを変更し、前記カラーチャートを生成することを特徴とするものである。
【００１７】
本発明の第１の形態の画像処理プログラムは、コンピュータを含む画像処理装置において、前記コンピュータに対して、複数のパッチを配列した表を有するカラーチャートの出力を実行させ、前記カラーチャートから各パッチの濃度の読み取りを実行させ、前記濃度から調整値の算出を実行させ、前記算出した調整値に基づいて階調の補正を実行させる画像処理プログラムであって、前記コンピュータに対して、標準の前記カラーチャートの色、各色に対応するパッチの数、濃度、及びパッチのサイズの記憶手段への記憶を実行させ、前記記憶されたパッチの数、濃度、又はパッチのサイズの変更の情報に基づき、記憶されているパッチの数、濃度、又はパッチのサイズの少なくとも１つの変更を実行させ、前記カラーチャートの生成を実行させることを特徴とするものである。
【００１８】
本発明の第２の形態の画像処理プログラムは、コンピュータを含む画像処理装置において、前記コンピュータに対して、複数のパッチを配列した表を有するカラーチャートの出力を実行させ、前記カラーチャートから各パッチの濃度の読み取りを実行させ、前記濃度から調整値の算出を実行させ、前記算出した調整値に基づいて階調の補正を実行させる画像処理プログラムであって、前記コンピュータに対して、標準の前記カラーチャートの色、各色に対応するパッチの数、濃度、及びパッチのサイズと、スクリーンのパターンに対応するパッチの数、濃度、又はパッチのサイズの記憶手段への記憶を実行させ、入力された前記スクリーンのパターンに対応したパッチの数、濃度、及びパッチのサイズの取得を実行させ、前記取得した前記スクリーンのパターンに対応したパッチの数、濃度、及びパッチのサイズに基づいて、記憶されているパッチの数、濃度、又はパッチのサイズの少なくとも１つの変更を実行させ、前記カラーチャートの生成を実行させることを特徴とするものである。
【発明の効果】
【００１９】
本発明の第１の形態の画像処理装置、第１の形態の画像処理方法、又は第１の形態の画像処理プログラムによると、ユーザ又は操作者が、使用するスクリーンのパターンに基づいて決定したパッチの数、濃度、又はパッチのサイズの入力を受けてカラーチャート作成し、そのカラーチャートに基づいて、画像処理装置の階調の補正を行うことが可能となる。これにより、使用するスクリーンのパターンに適するように階調の補正が行なわれた画像処理装置で、そのスクリーンのパターンに基づく画像の出力を行うことが可能になる。
【００２０】
第２の形態の画像処理装置、第２の形態の画像処理方法、又は第２の形態の画像処理プログラムによると、少なくともスクリーンの線数を含むスクリーンのパターンを指定すれば、それに対応したカラーチャートが自動的に作成され、そのカラーチャートに基づいて、画像処理装置の階調の補正を行なうことが可能となる。これにより、ユーザ又は操作者がパッチの数、濃度、又はパッチのサイズなどの値を判断しなくても、指定したスクリーンのパターンに対応したカラーチャートが容易に作成でき、さらに、該スクリーンのパターンに適するように階調の補正が行なわれた画像処理装置で、そのスクリーンのパターンに基づく画像の出力を行うことが可能になる。
【００２１】
第３の形態の画像処理装置によると、高線数となっている色のパッチの数、又は濃度の一方もしくは双方が増えたカラーチャートが作成される。従って、階調の安定性を確実に向上させることができる。
【００２２】
第４の形態の画像処理装置によると、ユーザが特に階調を安定させたい色を選択することが可能となる。これにより、ユーザが作成したい画像に適した階調の補正を行なうことができる。
【００２３】
第５の形態の画像処理装置によると、パッチの総数と並びが同じカラーチャートを階調の補正に使用できるので、階調の補正のアルゴリズムを変更しなくてすむ。したがって、スクリーンのパターンに適した階調の補正がより容易に行なえる。
【発明を実施するための最良の形態】
【００２４】
〔第１の実施形態〕
以下、この発明の第１の実施形態に係る画像処理装置について説明する。図２は本発明に係る画像処理装置の構成を表すブロック図である。図２に示すように、本発明に係る画像処理装置は、入力手段１、操作手段２、記憶手段３、実行制御手段４、出力手段５、読取手段６、算出手段７、及び補正手段８で構成される。ここで、実行制御手段４、算出手段７、及び補正手段８はＣＰＵ及びプログラムで構成されている。また、図３は標準のカラーチャートであり、図４はＭａｇｅｎｔａとＹｅｌｌｏｗが高線数な場合のスクリーンのパターンに対応したカラーチャートである。
【００２５】
まず、本実施形態に係る画像処理装置における通常の画像形成の動作を説明する。ユーザ又は操作者は、入力手段１を使用して画像形成の情報を入力する。通常の画像形成の場合には、実行制御手段４は、画像出力モードで動作し、入力された情報を基に実行制御手段４は、出力手段５に画像を出力させる。
【００２６】
次に、本実施形態に係る画像処理装置における階調の補正の動作について説明する。記憶手段３は、図３に示すような、標準のカラーチャートの色、各色に対応するパッチの数、濃度、及びパッチのサイズを予め記憶している。ここで、パッチとは印刷管理用の色見本である。本実施形態では、標準のカラーチャートでは、色は、Ｂｌａｃｋ、Ｃｙａｎ、Ｍａｇｅｎｔａ、及びＹｅｌｌｏｗの４色、パッチの数は、各色に付き９６個、濃度は０から２５５までの出力階調を３２で等間隔に分割したもので表され、パッチのサイズは７．５×７．５ｍｍである。ただし、標準のカラーチャートに用いられる色、パッチの数、濃度、及びパッチのサイズは特に制限はなく、他の値を採ってもよい。
【００２７】
ユーザ又は操作者は、使用するスクリーンのパターンを操作手段２を使用して入力する。次に、ユーザ又は操作者は、該スクリーンのパターンに適したパッチの数、濃度、又はパッチのサイズを判断し、その適したパッチの数、濃度、又はパッチのサイズを操作手段２を使用して入力する。例えば、ＭａｇｅｎｔａとＹｅｌｌｏｗが高線数なスクリーンのパターンを使用する場合を考える。ここで、特定の色が高線数という基準は、他の色に比べ３割から４割程度の線数（Ｌｉｎｅ  Ｐｅｒ  Ｉｎｃｈ：ｌｐｉ）を有していればその色は高線数と判断する。そして、ユーザ又は操作者は、自らが決定したスクリーンのパターンを使用するのであり、通常はどの色が高線数となるか把握している。また、仮にユーザや操作者が使用するスクリーンのパターンを把握していなくても、線数の計測器具を使用すれば、どの色が高線数となっているかを調べることは容易に行なえる。本実施形態では、ＢｌａｃｋとＣｙａｎが２００ｌｐｉであり、ＭａｇｅｎｔａとＹｅｌｌｏｗが２７０ｌｐｉの場合を考える。この場合、他の色に比べ、ＭａｇｅｎｔａとＹｅｌｌｏｗが高線数であるといえ、ＭａｇｅｎｔａとＹｅｌｌｏｗの階調が安定し難いので、ＭａｇｅｎｔａとＹｅｌｌｏｗのパッチの数を増やす必要がある。そこで、他の色に比べＭａｇｅｎｔａとＹｅｌｌｏｗのパッチの数を２倍に増やすと判断し、ユーザ又は操作者は、ＭａｇｅｎｔａとＹｅｌｌｏｗの色について２倍にしたパッチの数、本実施形態では１９２個を操作手段２を使用して入力する。
【００２８】
次に、階調の補正を行なう場合には、実行制御手段４は階調校正モードで動作する。まず、実行制御手段４は、操作手段２からの入力を受けて、記憶手段３に記憶されている標準のパッチの数、濃度、パッチのサイズを参照し、入力に基づいてパッチの数、濃度、又はパッチのサイズの少なくとも一つを変更する。本実施形態では、ＭａｇｅｎｔａとＹｅｌｌｏｗのパッチの数が標準の２倍の１９２個と入力されている。そこで、実行制御手段４は、ＭａｇｅｎｔａとＹｅｌｌｏｗのパッチの数を１９２個に変更する。次に、実行制御手段４は、変更したパッチの数の比率に合わせて、カラーチャートのパッチの総数を比率でわり、各色のパッチの数を算出する。本実施形態では、ＢｌａｃｋとＣｙａｎのパッチの数と、ＭａｇｅｎｔａとＹｅｌｌｏｗのパッチの数が１対２なので、カラーチャートのパッチの総数３８４個をＢｌａｃｋ：Ｃｙａｎ：Ｍａｇｅｎｔａ：Ｙｅｌｌｏｗ＝１：１：２：２に分ける。そうすると、ＢｌａｃｋとＣｙａｎのパッチの数がそれぞれ６４個、ＭａｎｇａｎｔａとＹｅｌｌｏｗのパッチの数がそれぞれ１２８個になる。ここで、本実施形態では、濃度及びパッチのサイズの入力は行なわれていないので、パッチの数だけが変更される。
【００２９】
次に、実行制御手段４は、算出したパッチの数、濃度、及びパッチのサイズに基づいて、カラーチャートを作成し、入力されたスクリーンのパターンを使用して、出力手段５にそのカラーチャートを出力させる。本実施形態では、実行制御手段４は、図３に示す標準のカラーチャートでＢｌａｃｋ、Ｃｙａｎ、Ｍａｇｅｎｔａ、Ｙｅｌｌｏｗのパターンが３回繰り返されているものを、図４に示すように一番下のパターンのＢｌａｃｋとＣｙａｎをＭａｇｅｎｔａとＹｅｌｌｏｗに変更したカラーチャートを作成して、出力手段５に出力させている。
【００３０】
ここで、本実施形態では、補正における、カラーチャートの読み取りのアルゴリズムの変更を不要にするため、標準のカラーチャートにおけるパッチの数及びパッチの並びを変更せずにスクリーンのパターンに適したカラーチャートを作成しているが、この作成されるカラーチャートは標準のカラーチャートにおけるパッチの数及びパッチの並びを使用する必要はなく、単に入力されたパッチの数を使用してもよいし、特定の色が多く並ぶような並びに変更してもよい。また、本実施形態では、実行制御手段４の負荷を減らすため、同じ階調数を繰返し使用しているが、より、細かい階調を得るために、パッチの数の増加にあわせて、出力階調をパッチの数で割ることで階調数を増やしてもよい。
【００３１】
また、本実施形態では、カラーチャートのパッチは色毎に並び、濃度が右に行くにつれて薄くなっていく並びを使用しているが、このパッチの並びには特に制限はなく、例えば、パッチの出力される場所による出力の特性の影響を抑えるため、パッチの配置をランダムにしてもよい。
【００３２】
次に、ユーザ又は操作者は、出力されたカラーチャートを読取手段６に読み取らせる。
【００３３】
算出手段７は、読み取ったカラーチャートにおける各パッチの濃度の情報を基に、階調の特性曲線を求め、その特性曲線のガンマ値を１にするための調整値を算出する。
【００３４】
補正手段８は、算出された調整値を受けて出力を調整することで、出力手段５の階調の補正を行なう。
【００３５】
次に、図５を参照して、階調の補正の流れを説明する。ここで、図５は本実施形態に係る階調の補正のフローチャートである。
【００３６】
ステップＳ００１：ユーザ又は操作者は、スクリーンのパターンを操作手段２を使用して入力し、さらに、使用するスクリーンのパターンに適した、パッチの数、濃度、又はパッチのサイズを判断し、操作手段２を使用してそれらを入力する。
【００３７】
ステップＳ００２：実行制御手段４は、入力されたものが標準のカラーチャートでよいかどうかを判断する。標準のカラーチャートでよければステップＳ００９に進み、標準のカラーチャート以外が必要であればステップＳ００３に進む。
【００３８】
ステップＳ００３：実行制御手段４は、パッチの数が入力されているかを判断する。パッチの数が入力されている場合にはステップＳ００４に進み、パッチの数が入力されていない場合にはステップＳ００５に進む。
【００３９】
ステップＳ００４：実行制御手段４は、標準のカラーチャートに対応する情報のパッチの数を変更する。
【００４０】
ステップＳ００５：実行制御手段４は、濃度が入力されているかどうかを判断する。濃度が入力されている場合にはステップＳ００６に進み、濃度が入力されていない場合にはステップＳ００７に進む。
【００４１】
ステップＳ００６：実行制御手段４は、標準のカラーチャートに対応する情報の濃度を変更する。
【００４２】
ステップＳ００７：実行制御手段４は、パッチのサイズが入力されているかどうかを判断する。パッチのサイズが入力されている場合にはステップＳ００８に進み、パッチのサイズが入力されていない場合にはステップＳ００９に進む。
【００４３】
ステップＳ００８：実行制御手段４は、標準のカラーチャートに対応する情報のパッチのサイズを変更する。
【００４４】
ステップＳ００９：実行制御手段４は、変更したパッチの数、濃度、又はパッチのサイズの条件に合ったカラーチャートを作成し、入力されたスクリーンのパターンを使用して、出力手段５に出力させる。
【００４５】
ステップＳ０１０：ユーザ又は操作者は、出力されたカラーチャートを読取手段６に読み取らせる。
【００４６】
ステップＳ０１１：算出手段７は、読み取ったカラーチャートにおける各パッチの濃度の情報を基に調整値を算出する。
【００４７】
ステップＳ０１２：補正手段８は、算出された調整値を受けて、出力手段５の階調の補正を行なう。
【００４８】
〔第２の実施形態〕
以下、この発明の第２の実施形態について説明する。本実施形態に係る画像処理装置においても、通常の画像出力については第１の実施形態と同様に動作する。そこで、次に、本実施形態に係る画像処理装置の階調の補正の動作について説明する。
【００４９】
記憶手段３は、予め図３に示すような、標準のカラーチャートの色、各色に対応するパッチの数、濃度、及びパッチのサイズを記憶している。さらに、記憶手段３は、少なくともスクリーンの線数を含むスクリーンのパターンとそれに対応する、パッチの数、濃度、又はパッチのサイズを記憶している。例えば、ＭａｇｅｎｔａとＹｅｌｌｏｗの色が高線数のスクリーンのパターンの場合は、ＭａｇｅｎｔａとＹｅｌｌｏｗのパッチの数をそれぞれ１２８個にし、ＢｌａｃｋとＣｙａｎのパッチの数をそれぞれ６４個にした対応や、全ての色が低線数のスクリーンのパターンの場合には、一つのパッチの中に含まれる線を増やしたほうが正確な階調が取得できるのでパッチのサイズを１５×１５ｍｍとするというような対応を記憶している。
【００５０】
ユーザ又は操作者は、少なくともスクリーンの線数を含むスクリーンのパターンを、操作手段２を使用して入力する。
【００５１】
実行制御手段４は、階調補正モードで動作し、入力された少なくともスクリーンの線数を含むスクリーンのパターンを受けて、記憶手段３に記憶されているスクリーンのパターンに対応したパッチの数、濃度、又はパッチのサイズを参照し、入力されたスクリーンのパターンに対応したパッチの数、濃度、又はパッチのサイズを取得する。
【００５２】
次に、実行制御手段４は、取得したパッチの数、濃度、又はパッチのサイズを基に、標準のパッチの数、濃度、パッチのサイズの少なくとも１つを変更し、その条件でカラーチャートを作成し、入力されたスクリーンのパターンを使用して、該カラーチャートを出力装置５に出力させる。
【００５３】
ここで、作成するカラーチャートにおける、パッチの並び及びパッチの数には特に制限はなく、標準のカラーチャートとは異なるパッチの数及びパッチの並びを使用してもよいし、カラーチャートを読み込むアルゴリズムの変更をなくすため、常に標準のカラーチャートと同じパッチの並び及びパッチの数を使用してもよい、さらに、パッチが出力される場所における出力の特性の影響を抑えるため、パッチをランダムに配置してもよい。
【００５４】
ユーザ又は操作者は、出力されたカラーチャートを読取手段６に読み取らせる。
【００５５】
算出手段７は、読み取ったカラーチャートにおける各パッチの濃度の情報を基に調整値を算出する。
【００５６】
補正手段８は、算出された調整値を受けて、出力手段５の階調の補正を行なう。
【００５７】
次に、図６を参照して、本実施形態における階調の補正の流れを説明する。ここで、図６は本実施形態に係る階調の補正のフローチャートである。
【００５８】
ステップＳ１０１：ユーザ又は操作者は、スクリーンのパターンを判断し、操作手段２を使用してスクリーンのパターンを入力する。
【００５９】
ステップＳ１０２：実行制御手段４は、入力されたスクリーンのパターンが標準のパターンかどうかを判断する。標準のパターンと判断した場合はステップＳ１０４に進み、標準のパターンでないと判断した場合はステップＳ１０３に進む。
【００６０】
ステップＳ１０３：実行制御手段４は、記憶手段３にあるスクリーンのパターンとパッチの数、濃度、又はパッチのサイズの対応を参照し、入力されたスクリーンに対応したパッチの数、濃度、又はパッチのサイズの少なくとも１つを変更する。
【００６１】
ステップＳ１０４：実行制御手段４は、パッチの数、濃度、及びパッチのサイズの条件に基づいてカラーチャートを作成し、入力されたスクリーンのパターンを使用して、該カラーチャートを出力手段５に出力させる。
【００６２】
ステップＳ１０５：ユーザ又は操作者は、出力されたカラーチャートを読取手段６に読み取らせる。
【００６３】
ステップＳ１０６：算出手段７は、読み取ったカラーチャートにおける各パッチの濃度の情報を基に調整値を算出する。
【００６４】
ステップＳ１０７：補正手段８は、算出された調整値を受けて、出力手段５の階調の補正を行なう。
【００６５】
〔第３の実施形態〕
以下、この発明の第３の実施形態について説明する。本実施形態に係る画像処理装置は第１の実施形態、又は第２の実施形態の画像処理装置に、ユーザの色の指定を受けて特定の色のパッチの数、濃度、又はパッチのサイズを変更する機能を追加したものである。そこで、ユーザの色の指定による階調の補正について説明する。
【００６６】
本実施形態の記憶手段３には、予め色の指定を受けた場合の、パッチの数、濃度、又はパッチのサイズの少なくとも１つを記憶している。例えば、標準の各色のパッチの数が図３に示すように９６個に対し、指定された色がＢｌａｃｋ、Ｃｙａｎ、Ｍａｇｅｎｔａ、Ｙｅｌｌｏｗのうち２色の場合は、その２色のそれぞれのパッチの数を１２８個、残りの２色のそれぞれのパッチの数を６４個と記憶している。ここで、本実施形態では、処理が煩雑になることを防ぐため、予めパッチの数、濃度、又はパッチのサイズのパターンをいくつか記憶しているが、これは、指定された色と他の色の比率を用い、パッチの総数から各色のパッチの数を算出し、そのパッチの数で出力階調の全体を割り必要な階調数を算出することで濃度を決定し、さらにパッチの数を基にパッチのサイズを算出するということを、ユーザ又は操作者からの色の指定の度に行なってもよい。
【００６７】
次に、ユーザ又は操作者は使用するスクリーンのパターンを操作手段２を使用して入力する。さらに、ユーザ又は操作者は、操作手段２を使用して、重み付けをしたい色を指定する。例えば、赤の階調を正確に補正したい場合には、ＭａｇｅｎｔａとＹｅｌｌｏｗを指定する。ここで、処理の煩雑さやインターフェースの利便性を考えて、ユーザが指定できる色の種類は１色又は２色が好ましい。
【００６８】
階調補正モードで動作している実行制御手段４は、指定された色を受けて記憶手段３の中を参照し、パッチの数、濃度、又はパッチのサイズを変更する。ここで、ＭａｇｅｎｔａとＹｅｌｌｏｗを指定された場合には、赤を構成する色はＭａｇｅｎｔａとＹｅｌｌｏｗなので、ＭａｇｅｎｔａとＹｅｌｌｏｗのそれぞれのパッチの数を１２８個と変更し、ＢｌａｃｋとＣｙａｎのそれぞれのパッチの数を６４個と変更する。ここで、第２の実施形態における入力されたスクリーンパターンから自動でパッチの数、濃度、及びパッチのサイズを変更する機能と、本実施形態における、ユーザ又は操作者からの色の指定による重み付けの機能が並存した場合には、ユーザ又は操作者からの色の指定による重み付けが優先され、該重み付けから算出されたパッチ数、濃度、又はパッチのサイズに変更させる。
【００６９】
次に、実行制御手段４は、変更した条件でカラーチャートを作成し、入力されたスクリーンのパターンを使用して、該カラーチャートを出力手段５に出力させる。
【００７０】
ユーザ又は操作者は、出力されたカラーチャートを読取手段６に読み取らせる。
【００７１】
算出手段７は、読み取ったカラーチャートにおける各パッチの濃度の情報を基に調整値を算出する。
【００７２】
補正手段８は、算出された調整値を受けて、出力手段５の階調の補正を行なう。
【００７３】
ここで、作成するカラーチャートにおける、パッチの並び及びパッチの数には特に制限はなく、標準のカラーチャートとは異なるパッチの数及びパッチの並び使用してもよいし、カラーチャートを読み込むアルゴリズムの変更をなくすため、常に標準のカラーチャートと同じパッチの並び及びパッチの数を使用してもよい、さらに、パッチが出力される場所における出力の特性の影響を抑えるため、パッチをランダムに配置してもよい。
【００７４】
次に、図７を参照して、本実施形態における階調の補正の流れを説明する。ここで、図７は本実施形態に係る色の指定による階調の補正のフローチャートである。
【００７５】
ステップＳ２０１：ユーザ又は操作者は、操作手段２を使用してスクリーンのパターンを入力し、さらに、操作手段２を使用して重み付けする色を指定する。
【００７６】
ステップＳ２０２：実行制御手段４は、記憶手段３に記憶されている指定された色に対するパッチの数、濃度、又はパッチのサイズを参照し、指定された色のパッチの数、濃度、又はパッチのサイズの少なくとも１つを変更する。
【００７７】
ステップＳ２０３：実行制御手段４は、パッチの数、濃度、及びパッチのサイズの条件に基づいてカラーチャートを作成し、入力されたスクリーンのパターンを使用して、該カラーチャートを出力手段５に出力させる。
【００７８】
ステップＳ２０４：ユーザ又は操作者は、出力されたカラーチャートを読取手段６に読み取らせる。
【００７９】
ステップＳ２０５：算出手段７は、読み取ったカラーチャートにおける各パッチの濃度の情報を基に調整値を算出する。
【００８０】
ステップＳ２０６：補正手段８は、算出された調整値を受けて、出力手段５の階調の補正を行なう。
【図面の簡単な説明】
【００８１】
【図１】スクリーンの線数による画像処理への影響を説明するための図
【図２】本発明に係る画像処理装置のブロック図
【図３】標準のカラーチャート
【図４】ＭａｇｅｎｔａとＹｅｌｌｏｗが高線数の場合のスクリーンのパターンに対応したカラーチャートの一例
【図５】第１の実施形態に係る階調の補正のフローチャート
【図６】第２の実施形態に係る階調の補正のフローチャート
【図７】第３の実施形態に係る色の指定による階調の補正のフローチャート
【符号の説明】
【００８２】
１  入力手段
２  操作手段
３  記憶手段
４  実行制御手段
５  出力手段
６  読取手段
７  算出手段
８  補正手段
【図１】
2008066813.tif 000003
【図２】
2008066813.tif 000004
【図３】
2008066813.tif 000005
【図４】
2008066813.tif 000006
【図５】
2008066813.tif 000007
【図６】
2008066813.tif 000008
【図７】
2008066813.tif 000009